(57)【要約】【課題】接続対象のネットワークをユーザに選択させるための処理を制限することにより、接続できない通信事業者のネットワークがユーザにより選択されることを防ぐとともに、通信できない状態を防ぐこと。【解決手段】ＳＩＭカード読み取り部１０２は、ＳＩＭカードに記憶されている加入者に関する加入者情報を読み出す。ＳＩＭロック判定部１０４は、加入者情報に含まれる加入者が加入している通信事業者情報に基づいて、ＳＩＭロックされているか否かを判定する。実施判定部１０７は、ＳＩＭロックされているか否かの判定結果に基づいて、ネットワークのサーチを行わないようにネットワークサーチ実施部１０８を制限する。【選択図】図１
2014011781.tif 000002
【特許請求の範囲】
【請求項１】
メモリーカードに記憶されている加入者に関する加入者情報を読み出す読出手段と、
前記加入者情報に含まれる前記加入者が加入している通信事業者情報に基づいて、接続対象のネットワークをユーザに選択させるための処理を制限する制限手段と、
を具備する通信端末装置。
【請求項２】
自装置が存在するエリア情報を受信する受信手段と、
前記接続対象のネットワークを選択させるためにネットワークのサーチを行うサーチ実施手段と、
をさらに具備し、
前記制限手段は、
前記受信手段により受信した前記エリア情報により特定されるエリアにおいて、複数の通信事業者のネットワークのうち前記通信事業者情報により特定される通信事業者のネットワークへの接続のみに制限されている場合に、前記サーチを行わないように前記サーチ実施手段を制限する
請求項１記載の通信端末装置。
【請求項３】
自装置が存在するエリア情報を受信する受信手段と、
ネットワークのサーチを行うサーチ実施手段と、
前記サーチ実施手段におけるサーチにより検出したネットワークを、前記接続対象のネットワークを選択させるために表示する表示手段と、
をさらに具備し、
前記制限手段は、
前記受信手段により受信した前記エリア情報により特定されるエリアにおいて、複数の通信事業者のネットワークのうち前記通信事業者情報により特定される通信事業者のネットワークへの接続のみに制限されている場合に、前記特定される通信事業者のネットワーク以外のネットワークを前記表示手段に表示させないように制限する
請求項１記載の通信端末装置。
【請求項４】
自装置が存在するエリア情報を受信する受信手段と、
前記接続対象のネットワークを選択させるためにネットワークのサーチを行うサーチ実施手段と、
をさらに具備し、
前記制限手段は、
前記受信手段により受信した前記エリア情報により特定されるエリアが前記通信事業者情報により特定される通信事業者のネットワークの使用が不可能なエリアである場合において、前記通信事業者のネットワークのローミング先のネットワークが１つである場合に、前記サーチを行わないように前記サーチ実施手段を制限する
請求項１記載の通信端末装置。
【請求項５】
自装置が存在するエリア情報を受信する受信手段と、
ネットワークのサーチを行うサーチ実施手段と、
前記サーチ実施手段におけるサーチにより検出したネットワークを、前記接続対象のネットワークを選択させるために表示する表示手段と、
をさらに具備し、
前記制限手段は、
前記受信手段により受信した前記エリア情報により特定されるエリアが前記通信事業者情報により特定される通信事業者のネットワークの使用が不可能なエリアである場合に、前記通信事業者のネットワークのローミング先のネットワーク以外のネットワークを前記表示手段に表示させないように制限する
請求項１記載の通信端末装置。
【請求項６】
通信端末装置における処理制限方法であって、
メモリーカードに記憶されている加入者に関する加入者情報を読み出すステップと、
前記加入者情報に含まれる前記加入者が加入している通信事業者情報に基づいて、接続対象のネットワークをユーザに選択させるための処理を制限するステップと、
を具備する処理制限方法。
【発明の詳細な説明】
【技術分野】
【０００１】
本発明は、ネットワークのサーチを行う通信端末装置及び処理制限方法に関する。
【背景技術】
【０００２】
従来、通信端末装置には、通信事業者毎に仕様が異なるＳＩＭ（Subscriber Identity Module）カードと呼ばれるメモリーカードが接続される。この際、特定の通信事業者のＳＩＭカードのみを使えるＳＩＭロックが掛けられている通信端末装置と、複数の通信事業者のＳＩＭカードを使えるＳＩＭロックフリーの通信端末装置とが存在する。
【０００３】
また、従来、加入者が加入している国内の通信事業者のネットワークに接続できない海外において、海外の通信事業者のネットワークと接続して、国内と同様のサービスの提供を受けることができる。このように、国内の通信事業者の加入者が海外の通信事業者のネットワークを使用して国内と同様のサービスを受けることをローミングと呼ぶ。
【０００４】
また、従来、通信端末装置は、ネットワークサーチを行うことにより、最適なネットワークと接続することができる。この際、通信端末装置は、接続できる通信事業者のネットワークと、ＳＩＭロックが掛けられているため、またはローミング先ではないために、接続できない通信事業者のネットワークとの両方をサーチする。
【先行技術文献】
【特許文献】
【０００５】
【特許文献１】特開２００９−６５２８２号公報
【発明の概要】
【発明が解決しようとする課題】
【０００６】
しかしながら、従来の装置においては、接続できない通信事業者のネットワークをサーチ結果として表示するので、ユーザが接続できない通信事業者のネットワークを接続先として選択した際に、通信できない状態になるという問題がある。
【０００７】
本発明の目的は、接続対象のネットワークをユーザに選択させるための処理を制限することにより、接続できない通信事業者のネットワークがユーザにより選択されることを防ぐことができるとともに、通信できない状態を防ぐことができる通信端末装置及び処理制限方法を提供することである。
【課題を解決するための手段】
【０００８】
本発明の通信端末装置は、メモリーカードに記憶されている加入者に関する加入者情報を読み出す読出手段と、前記加入者情報に含まれる前記加入者が加入している通信事業者情報に基づいて、接続対象のネットワークをユーザに選択させるための処理を制限する制限手段と、を具備する構成を採る。
【０００９】
本発明の処理制限方法は、通信端末装置における処理制限方法であって、メモリーカードに記憶されている加入者に関する加入者情報を読み出すステップと、前記加入者情報に含まれる前記加入者が加入している通信事業者情報に基づいて、接続対象のネットワークをユーザに選択させるための処理を制限するステップと、を具備するようにした。
【発明の効果】
【００１０】
本発明によれば、接続対象のネットワークをユーザに選択させるための処理を制限することにより、接続できない通信事業者のネットワークがユーザにより選択されることを防ぐことができるとともに、通信できない状態を防ぐことができる。
【図面の簡単な説明】
【００１１】
【図１】本発明の実施の形態１に係る通信端末装置の構成を示すブロック図
【図２】本発明の実施の形態１に係る通信端末装置の動作を示すフロー図
【図３】本発明の実施の形態２に係る通信端末装置の構成を示すブロック図
【図４】本発明の実施の形態２に係る通信端末装置の動作を示すフロー図
【図５】本発明の実施の形態３に係る通信端末装置の構成を示すブロック図
【図６】本発明の実施の形態３に係る通信端末装置の動作を示すフロー図
【発明を実施するための形態】
【００１２】
以下、本発明の実施の形態について、図面を参照して詳細に説明する。以下の実施の形態では、日本国内でネットワークを運営する通信事業者に加入した加入者が通信端末装置を使用する場合を例に説明する。
【００１３】
（実施の形態１）
＜通信端末装置の構成＞
本発明の実施の形態１に係る通信端末装置１００の構成について、図１を用いて説明する。図１は、本実施の形態に係る通信端末装置１００の構成を示すブロック図である。
【００１４】
通信端末装置１００は、端末固有情報記憶部１０１と、ＳＩＭカード読み取り部１０２と、ネットワーク情報受信部１０３と、ＳＩＭロック判定部１０４と、自国内判定部１０５と、操作部１０６と、実施判定部１０７と、ネットワークサーチ実施部１０８と、表示部１０９とから主に構成されている。
【００１５】
ＳＩＭロック判定部１０４と、自国内判定部１０５と、実施判定部１０７は、制限手段を構成している。
【００１６】
端末固有情報記憶部１０１は、通信端末装置１００固有の情報である端末固有情報をあらかじめ記憶し、記憶している端末固有情報をＳＩＭロック判定部１０４に出力する。ここで、端末固有情報には、通信端末装置１００において使用可能なＳＩＭカードのカード情報が含まれている。
【００１７】
ＳＩＭカード読み取り部１０２は、接続されたＳＩＭカードに記憶されている加入者情報をＳＩＭカードから読み出し、読み出した加入者情報をＳＩＭロック判定部１０４及び自国内判定部１０５に出力する。ここで、加入者情報には、加入者が加入している通信事業者情報、加入者の電話番号情報及びＳＩＭカードを特定するカードＩＤ等が含まれている。
【００１８】
ネットワーク情報受信部１０３は、図示しない基地局装置から報知情報を受信し、受信した報知情報をＳＩＭロック判定部１０４及び自国内判定部１０５に出力する。ここで、報知情報には、国情報が含まれている。
【００１９】
ＳＩＭロック判定部１０４は、ＳＩＭカード読み取り部１０２から入力した加入者情報と、端末固有情報記憶部１０１から入力した端末固有情報と、ネットワーク情報受信部１０３から入力した報知情報とに基づいて、ＳＩＭロックされているか否かを判定する。
【００２０】
具体的には、ＳＩＭロック判定部１０４は、加入者情報に含まれるカードＩＤを用いて、端末固有情報に含まれるカード情報を参照して、ＳＩＭカード読み取り部１０２に接続されているＳＩＭカードが使用可能なＳＩＭカードであるか否かを判定する。ＳＩＭロック判定部１０４は、使用可能なＳＩＭカードである場合に、加入者情報を参照して、複数の通信事業者のネットワークのうち、加入者情報に含まれる通信事業者情報により特定される通信事業者のネットワークへの接続のみに制限されているか否かを判定する。また、ＳＩＭロック判定部１０４は、ネットワーク情報受信部１０３から入力した報知情報に含まれている国情報が、特定の通信事業者のネットワークへの接続に制限している国である日本国であるか否かを判定する。そして、ＳＩＭロック判定部１０４は、特定の通信事業者のネットワークへの接続に制限されており、かつ、国情報が日本国である場合に、ＳＩＭロックされているものと判定する。一方、ＳＩＭロック判定部１０４は、特定の通信事業者のネットワークへの接続に制限されておらず、または、国情報が日本国以外の国（海外）である場合に、ＳＩＭロックされていない（ＳＩＭロックフリーである）ものと判定する。なお、上記のＳＩＭロックされているか否かの判定の具体例は一例であり、上記以外の方法によりＳＩＭロックされているか否かを判定してもよい。
【００２１】
ＳＩＭロック判定部１０４は、ＳＩＭロックされているか否かの判定結果を実施判定部１０７に出力する。
【００２２】
自国内判定部１０５は、ＳＩＭカード読み取り部１０２から入力した加入者情報と、ネットワーク情報受信部１０３から入力した報知情報とに基づいて、自国内（日本国内）であるか否かを判定する。具体的には、自国内判定部１０５は、加入者情報に含まれている通信事業者情報により特定される通信事業者が、報知情報に含まれる国情報により特定される国の通信事業者であるか否かを判定する。自国内判定部１０５は、通信事業者情報により特定される通信事業者が、国情報により特定される国の通信事業者である場合には、自国内であると判定する。なお、上記の自国内であるか否かの判定の具体例は一例であり、上記以外の方法により自国内であるか否かを判定してもよい。
【００２３】
自国内判定部１０５は、自国内であるか否かの判定結果を実施判定部１０７に出力する。
【００２４】
操作部１０６は、ネットワークのサーチの依頼を外部より受け付けた際に、実施判定部１０７に対してネットワークのサーチを依頼する。
【００２５】
実施判定部１０７は、操作部１０６からネットワークのサーチの依頼を受けた際に、ＳＩＭロック判定部１０４から入力した判定結果と、自国内判定部１０５から入力した判定結果とに基づいて、ネットワークサーチ実施部１０８を制限するか否かを判定する。そして、実施判定部１０７は、制限する判定結果を得た場合にはネットワークサーチ実施部１０８を制限し、制限しない判定結果を得た場合にはネットワークサーチ実施部１０８を制限しない。
【００２６】
ネットワークサーチ実施部１０８は、実施判定部１０７により制限を受けない場合には、ネットワークのサーチを行い、サーチの結果を表示部１０９に出力する。ネットワークサーチ実施部１０８は、実施判定部１０７により制限を受ける場合には、ネットワークのサーチを拒否するとともに、ネットワークのサーチを行わず、サーチ結果を表示部１０９に出力しない。
【００２７】
表示部１０９は、ネットワークサーチ実施部１０８から入力したサーチの結果を表示する。加入者は、表示部１０９に表示されたサーチ結果を見て、接続するネットワークを選択することができる。
【００２８】
＜通信端末装置の動作＞
本発明の実施の形態１に係る通信端末装置１００の動作について、図２を用いて説明する。図２は、本実施の形態に係る通信端末装置１００の動作を示すフロー図である。
【００２９】
まず、操作部１０６は、ネットワークのサーチの依頼を受け付ける（ステップＳＴ２０１）。
【００３０】
次に、実施判定部１０７は、ＳＩＭロック判定部１０４から入力した判定結果より、ＳＩＭロックされているか否かを判定する（ステップＳＴ２０２）。
【００３１】
ＳＩＭロックされていると判定した場合（ステップＳＴ２０２：ＹＥＳ）には、実施判定部１０７は、自国内判定部１０５から入力した判定結果より、自国内（日本国内）であるか否かを判定する（ステップＳＴ２０３）。
【００３２】
自国内であると判定した場合（ステップＳＴ２０３：ＹＥＳ）には、実施判定部１０７は、ネットワークのサーチを行わないようにネットワークサーチ実施部１０８を制限する。
【００３３】
そして、ネットワークサーチ実施部１０８は、ネットワークのサーチを拒否し、ネットワークのサーチを行わない（ステップＳＴ２０４）。
【００３４】
一方、ステップＳＴ２０２において、ＳＩＭロックされていないと判定した場合（ステップＳＴ２０２：ＮＯ）、または、ステップＳＴ２０３において、自国内ではないと判定した場合（ステップＳＴ２０３：ＮＯ）には、実施判定部１０７は、ネットワークサーチ実施部１０８を制限しない。
【００３５】
そして、ネットワークサーチ実施部１０８は、ネットワークをサーチし、表示部１０９は、ネットワークサーチ実施部１０８でサーチすることにより検出したネットワークを、サーチ結果として表示する（ステップＳＴ２０５）。
【００３６】
＜実施の形態１の効果＞
本実施の形態によれば、日本国内においてＳＩＭロックされている場合に、ネットワークをサーチしないようにすることにより、接続できない通信事業者のネットワークがユーザにより選択されることを防ぐことができるとともに、通信できない状態を防ぐことができる。
【００３７】
また、本実施の形態によれば、ネットワークのサーチを行わないので、消費電力を低減することができる。
【００３８】
＜実施の形態１の変形例＞
本実施の形態において、日本国内においてＳＩＭロックされている場合にネットワークをサーチしないようにしたが、本発明はこれに限らず、日本国以外の国においてＳＩＭロックされている場合にネットワークをサーチしないようにしてもよい。
【００３９】
（実施の形態２）
＜通信端末装置の構成＞
本発明の実施の形態２に係る通信端末装置３００の構成について、図３を用いて説明する。図３は、本実施の形態に係る通信端末装置３００の構成を示すブロック図である。
【００４０】
図３に示す通信端末装置３００は、図１に示す実施の形態１に係る通信端末装置１００に対して、ＳＩＭロック判定部１０４の代わりにＳＩＭロック判定部３０１を有し、実施判定部１０７の代わりに実施判定部３０２を有し、ネットワークサーチ実施部１０８の代わりにネットワークサーチ実施部３０３を有し、表示部１０９の代わりに表示部３０４を有する。なお、図３において、図１と同一構成である部分には同一の符号を付してその説明を省略する。
【００４１】
通信端末装置３００は、端末固有情報記憶部１０１と、ＳＩＭカード読み取り部１０２と、ネットワーク情報受信部１０３と、自国内判定部１０５と、操作部１０６と、ＳＩＭロック判定部３０１と、実施判定部３０２と、ネットワークサーチ実施部３０３と、表示部３０４とから主に構成されている。
【００４２】
自国内判定部１０５と、ＳＩＭロック判定部３０１と、実施判定部３０２は、制限手段を構成している。
【００４３】
端末固有情報記憶部１０１は、通信端末装置３００固有の情報である端末固有情報をあらかじめ記憶し、記憶している端末固有情報をＳＩＭロック判定部３０１に出力する。ここで、端末固有情報には、通信端末装置３００において使用可能なＳＩＭカードのカード情報が含まれている。
【００４４】
ＳＩＭカード読み取り部１０２は、接続されたＳＩＭカードに記憶されている加入者情報をＳＩＭカードから読み出し、読み出した加入者情報をＳＩＭロック判定部３０１及び自国内判定部１０５に出力する。
【００４５】
ネットワーク情報受信部１０３は、図示しない基地局装置から報知情報を受信し、受信した報知情報をＳＩＭロック判定部３０１及び自国内判定部１０５に出力する。
【００４６】
ＳＩＭロック判定部３０１は、ＳＩＭロックされているか否かの判定結果を実施判定部３０２に出力する。ＳＩＭロック判定部３０１は、ＳＩＭカード読み取り部１０２から入力した加入者情報を実施判定部３０２に出力する。なお、ＳＩＭロック判定部３０１における前記以外の構成は上記実施の形態１のＳＩＭロック判定部１０４と同一であるので、その説明を省略する。
【００４７】
自国内判定部１０５は、自国内であるか否かの判定結果を実施判定部３０２に出力する。なお、自国内判定部１０５における前記以外の構成は上記実施の形態１と同一であるので、その説明を省略する。
【００４８】
操作部１０６は、ネットワークのサーチの依頼を外部より受け付けた際に、実施判定部３０２に対してネットワークのサーチを依頼する。
【００４９】
実施判定部３０２は、操作部１０６からネットワークのサーチの依頼を受けた際に、ネットワークサーチ実施部３０３に対してネットワークのサーチを指示する。この際、実施判定部３０２は、ＳＩＭロック判定部３０１から入力した判定結果及び加入者情報に含まれる通信事業者情報と、自国内判定部１０５から入力した判定結果とに基づいて、表示部３０４を制限するか否かを判定する。そして、実施判定部３０２は、制限する判定結果を得た場合には表示部３０４を制限し、制限しない判定結果を得た場合には表示部３０４を制限しない。
【００５０】
実施判定部３０２は、ＳＩＭロック判定部３０１から入力した加入者情報を表示部３０４に出力する。
【００５１】
ネットワークサーチ実施部３０３は、実施判定部３０２の指示に従って、ネットワークのサーチを行い、サーチの結果を表示部３０４に出力する。
【００５２】
表示部３０４は、実施判定部３０２の制限を受ける場合には、実施判定部３０２から入力した加入者情報に含まれる通信事業者情報を参照して、ネットワークサーチ実施部３０３から入力したサーチ結果のうち、通信端末装置３００が接続可能なネットワークのみを、サーチ結果として表示する。表示部３０４は、実施判定部３０２より制限を受けない場合には、ネットワークサーチ実施部３０３から入力したサーチの結果をそのまま表示する。
【００５３】
＜通信端末装置の動作＞
本発明の実施の形態２に係る通信端末装置３００の動作について、図４を用いて説明する。図４は、本実施の形態に係る通信端末装置３００の動作を示すフロー図である。
【００５４】
まず、操作部１０６は、ネットワークのサーチの依頼を受け付ける（ステップＳＴ４０１）。
【００５５】
次に、実施判定部３０２は、ＳＩＭロック判定部３０１から入力した判定結果より、ＳＩＭロックされているか否かを判定する（ステップＳＴ４０２）。
【００５６】
ＳＩＭロックされていると判定した場合（ステップＳＴ４０２：ＹＥＳ）には、実施判定部３０２は、自国内判定部１０５から入力した判定結果より、自国内（日本国内）であるか否かを判定する（ステップＳＴ４０３）。
【００５７】
自国内であると判定した場合（ステップＳＴ４０３：ＹＥＳ）には、実施判定部３０２は、通信事業者情報により特定される通信事業者のネットワーク以外のネットワークを表示しないように表示部３０４を制限する。
【００５８】
そして、表示部３０４は、実施判定部３０２から入力した加入者情報に含まれている通信事業者情報を参照し、ネットワークサーチ実施部３０３でサーチすることにより検出したネットワークのうち、通信事業者情報により特定される通信事業者の接続可能なネットワークのみを表示する（ステップＳＴ４０４）。
【００５９】
一方、ステップＳＴ４０２において、ＳＩＭロックされていないと判定した場合（ステップＳＴ４０２：ＮＯ）、または、ステップＳＴ４０３において、自国内ではないと判定した場合（ステップＳＴ４０３：ＮＯ）には、実施判定部３０２は、表示部３０４を制限しない。
【００６０】
そして、表示部３０４は、ネットワークサーチ実施部３０３でサーチすることにより検出したネットワークの全てを、サーチ結果として表示する（ステップＳＴ４０５）。
【００６１】
＜実施の形態２の効果＞
本実施の形態によれば、日本国内においてＳＩＭロックされている場合に、接続可能なネットワークのみをサーチ結果として表示することにより、接続できない通信事業者のネットワークがユーザにより選択されることを防ぐことができるとともに、通信できない状態を防ぐことができる。
【００６２】
＜実施の形態２の変形例＞
本実施の形態において、日本国内においてＳＩＭロックされている場合に接続可能なネットワークのみを表示するようにしたが、本発明はこれに限らず、日本国以外の国においてＳＩＭロックされている場合に接続可能なネットワークのみを表示するようにしてもよい。
【００６３】
（実施の形態３）
＜通信端末装置の構成＞
本発明の実施の形態３に係る通信端末装置５００の構成について、図５を用いて説明する。図５は、本実施の形態に係る通信端末装置５００の構成を示すブロック図である。
【００６４】
図５に示す通信端末装置５００は、図１に示す実施の形態１に係る通信端末装置１００に対して、ＳＩＭロック判定部１０４及び自国内判定部１０５を除き、ローミング判定部５０１を追加し、実施判定部１０７の代わりに実施判定部５０２を有し、ネットワークサーチ実施部１０８の代わりにネットワークサーチ実施部５０３を有し、表示部１０９の代わりに表示部５０４を有する。なお、図５において、図１と同一構成である部分には同一の符号を付してその説明を省略する。
【００６５】
通信端末装置５００は、端末固有情報記憶部１０１と、ＳＩＭカード読み取り部１０２と、ネットワーク情報受信部１０３と、操作部１０６と、ローミング判定部５０１と、実施判定部５０２と、ネットワークサーチ実施部５０３と、表示部５０４とから主に構成されている。
【００６６】
ローミング判定部５０１及び実施判定部５０２は、制限手段を構成している。
【００６７】
端末固有情報記憶部１０１は、通信端末装置５００固有の情報である端末固有情報をあらかじめ記憶し、記憶している端末固有情報をローミング判定部５０１に出力する。ここで、端末固有情報には、通信端末装置５００において使用可能なＳＩＭカードのカード情報が含まれている。
【００６８】
ＳＩＭカード読み取り部１０２は、接続されたＳＩＭカードに記憶されている加入者情報をＳＩＭカードから読み出し、読み出した加入者情報をローミング判定部５０１に出力する。
【００６９】
ネットワーク情報受信部１０３は、図示しない基地局装置から報知情報を受信し、受信した報知情報をローミング判定部５０１に出力する。
【００７０】
ローミング判定部５０１は、加入者情報に含まれるカードＩＤを用いて、端末固有情報記憶部１０１から入力した端末固有情報に含まれるカード情報を参照して、ＳＩＭカード読み取り部１０２に接続されているＳＩＭカードが使用可能なＳＩＭカードであるか否かを判定する。ローミング判定部５０１は、使用可能なＳＩＭカードである場合に、以下の処理を行う。
【００７１】
ローミング判定部５０１は、使用可能なＳＩＭカードである場合に、ネットワーク情報受信部１０３から入力した報知情報に基づいて、日本国であるか否かを判定する。具体的には、ローミング判定部５０１は、ネットワーク情報受信部１０３から入力した国情報が日本国であるか否かを判定する。
【００７２】
ローミング判定部５０１は、使用可能なＳＩＭカードである場合に、ＳＩＭカード読み取り部１０２から入力した加入者情報と、ネットワーク情報受信部１０３から入力した報知情報とに基づいて、ローミング先を選択する。
【００７３】
具体的には、ローミング判定部５０１は、通信事業者とローミング先とを国毎に対応付けたローミング情報を記憶したテーブルを予め保持している。ローミング判定部５０１は、テーブルに記憶されているローミング情報を参照して、報知情報に含まれている国情報の国において、加入者情報に含まれている通信事業者情報の通信事業者に対応付けられているローミング先を選択する。なお、上記のローミング先の選択の具体例は一例であり、上記以外の方法によりローミング先を選択してもよい。
【００７４】
ローミング判定部５０１は、上記の日本国であるか否かの判定結果及びローミング先を実施判定部５０２に出力する。
【００７５】
操作部１０６は、ネットワークのサーチの依頼を外部より受け付けた際に、実施判定部５０２に対してネットワークのサーチを依頼する。
【００７６】
実施判定部５０２は、操作部１０６からネットワークのサーチの依頼を受けた際に、ローミング判定部５０１から入力した判定結果及びローミング先に基づいて、ネットワークサーチ実施部５０３を制限するか否かを判定する。そして、実施判定部５０２は、制限する判定結果を得た場合にはネットワークサーチ実施部５０３を制限し、制限しない判定結果を得た場合にはネットワークサーチ実施部５０３を制限しない。
【００７７】
実施判定部５０２は、操作部１０６からネットワークのサーチの依頼を受けた際に、ローミング判定部５０１から入力した判定結果及びローミング先に基づいて、表示部５０４を制限するか否かを判定する。そして、実施判定部５０２は、制限する判定結果を得た場合には表示部５０４を制限し、制限しない判定結果を得た場合には表示部５０４を制限しない。
【００７８】
ネットワークサーチ実施部５０３は、実施判定部５０２により制限を受けない場合には、ネットワークのサーチを行い、サーチの結果を表示部５０４に出力する。ネットワークサーチ実施部５０３は、実施判定部５０２により制限を受ける場合には、ネットワークのサーチを拒否するとともにネットワークのサーチを行わず、サーチ結果を表示部５０４に出力しない。
【００７９】
表示部５０４は、実施判定部５０２より制限を受けない場合には、ネットワークサーチ実施部５０３から入力したサーチの結果をそのまま表示する。表示部５０４は、実施判定部５０２の制限を受ける場合には、ネットワークサーチ実施部５０３から入力したサーチ結果のうち、通信端末装置５００がローミング可能なローミング先のネットワークのみを、サーチ結果として表示する。
【００８０】
＜通信端末装置の動作＞
本発明の実施の形態３に係る通信端末装置５００の動作について、図６を用いて説明する。図６は、本実施の形態に係る通信端末装置５００の動作を示すフロー図である。
【００８１】
まず、操作部１０６は、ネットワークのサーチの依頼を受け付ける（ステップＳＴ６０１）。
【００８２】
次に、実施判定部５０２は、ローミング判定部５０１から入力した判定結果より、海外にいるか否かを判定する（ステップＳＴ６０２）。
【００８３】
海外に居ないと判定した場合（ステップＳＴ６０２：ＮＯ）には、実施判定部５０２は、ネットワークサーチ実施部５０３及び表示部５０４を制限しない。
【００８４】
そして、表示部５０４は、ネットワークサーチ実施部５０３でサーチすることにより検出したネットワークを、サーチ結果として表示する（ステップＳＴ６０３）。
【００８５】
一方、海外に居ると判定した場合（ステップＳＴ６０２：ＹＥＳ）には、実施判定部５０２は、ローミング判定部５０１から入力したローミング先より、ローミング先のネットワークが１つであるか否かを判定する（ステップＳＴ６０４）。
【００８６】
ローミング先のネットワークが複数であると判定した場合（ステップＳＴ６０４：ＮＯ）には、実施判定部５０２は、ネットワークサーチ実施部５０３を制限しないとともに、ローミング可能なローミング先のネットワークのみを表示するように表示部５０４を制限する。
【００８７】
そして、表示部５０４は、ネットワークサーチ実施部５０３でサーチすることにより検出したネットワークのうち、ローミング可能なローミング先のネットワークのみを表示する（ステップＳＴ６０５）。
【００８８】
一方、ローミング先のネットワークが１つであると判定した場合（ステップＳＴ６０４：ＹＥＳ）には、実施判定部５０２は、ネットワークのサーチを行わないようにネットワークサーチ実施部５０３を制限する。
【００８９】
そして、ネットワークサーチ実施部５０３は、ネットワークのサーチを拒否し、サーチを行わない（ステップＳＴ６０６）。
【００９０】
＜実施の形態３の効果＞
本実施の形態によれば、ローミング先のネットワークが１つである場合に、ネットワークをサーチしないようにすることにより、接続できない通信事業者のネットワークがユーザにより選択されることを防ぐことができるとともに、通信できない状態を防ぐことができる。
【００９１】
また、本実施の形態によれば、ローミング可能なネットワークのみをサーチ結果として表示することにより、接続できない通信事業者のネットワークがユーザにより選択されることを防ぐことができるとともに、通信できない状態を防ぐことができる。
【００９２】
また、本実施の形態によれば、ローミング先のネットワークが１つである場合にはネットワークのサーチを行わないので、消費電力を低減することができる。
【００９３】
＜実施の形態３の変形例＞
本実施の形態において、日本国に居る場合にはネットワークのサーチを行ってサーチ結果をそのまま表示するが、本発明はこれに限らず、日本国に居る場合において、ローミング先のネットワークが１つである場合にサーチを行わないか、またはローミング可能なローミング先のネットワークのみを表示してもよい。例えば、中国が自国であり、日本国が海外である場合、かつ日本国に居る場合において、ローミング先のネットワークが１つである場合にサーチを行わないか、またはローミング可能なローミング先のネットワークのみを表示してもよい。
【００９４】
また、本実施の形態において、ローミング先のネットワークが１つしかない場合にはネットワークのサーチを行わないようにしたが、本発明はこれに限らず、ローミング先のネットワークが１つしかない場合であってもネットワークのサーチを行い、ローミング可能なローミング先のネットワークのみを表示するようにしてもよい。
【００９５】
＜全ての実施の形態に共通の変形例＞
上記実施の形態１〜実施の形態３において、国情報を取得したが、本発明はこれに限らず、国の一部のエリアまたは複数の国を跨ぐエリアのエリア情報を取得し、エリア情報を用いて上記の制限を行ってもよい。
【００９６】
また、上記実施の形態１〜実施の形態３において、ＳＩＭカードに記憶されている加入者情報を読み出したが、本発明はこれに限らず、通信端末装置に接続されるＳＩＭカード以外の任意のメモリーカードに記憶されている加入者情報を読み出すことができる。
【００９７】
また、上記実施の形態１〜実施の形態３において、日本国内の通信事業者に加入した加入者の加入者情報を読み出したが、本発明はこれに限らず、日本国以外の国の通信事業者に加入した加入者の加入者情報を読み出すようにしてもよい。
【産業上の利用可能性】
【００９８】
本発明にかかる通信端末装置及び処理制限方法は、ネットワークのサーチを行うのに好適である。
【符号の説明】
【００９９】
１００  通信端末装置
１０１  端末固有情報記憶部
１０２  ＳＩＭカード読み取り部
１０３  ネットワーク情報受信部
１０４  ＳＩＭロック判定部
１０５  自国内判定部
１０６  操作部
１０７  実施判定部
１０８  ネットワークサーチ実施部
１０９  表示部
【図１】
2014011781.tif 000003
【図２】
2014011781.tif 000004
【図３】
2014011781.tif 000005
【図４】
2014011781.tif 000006
【図５】
2014011781.tif 000007
【図６】
2014011781.tif 000008